(57)【要約】【課題】警察、消防、救助などの分野で使用される強化型クリップを携帯型電子機器の二次電池パックの背面に固定する固定構造を提供する。【解決手段】二次電池パック２０の背面２０Ｂに形成されたクリップ装着部２５に嵌合され、金属製の１つのナット５１がインサートモールドされたクリップ装着用ベース部材５０と、強化型クリップ４０の基台４１の下端近傍から幅方向に外向きに突出し、背面２０Ｂに垂直な断面において湾曲し、二次電池パック２０の側面２０Ｄの一対のガイド溝２６に係合される一対の係合爪部４４と、クリップ装着部２５に嵌合されたクリップ装着用ベース部材５０のナット５１に対向する位置に形成された貫通孔４１Ｃを有する被固定部４１Ｂと、貫通孔４１Ｃに嵌装され、ナット５１に対して締め付けられるねじ６０で構成される。【選択図】図３
2018204634.tif 000002
【特許請求の範囲】
【請求項１】
携帯型電子機器本体と、前記携帯型電子機器本体に装着される二次電池パックと、前記二次電池パックの背面に装着される強化型クリップを備えた携帯型電子機器の強化型クリップの固定構造であって、
前記二次電池パックは、その背面の下端近傍に幅方向に配列された複数の充電端子と、前記背面の上端近傍で、前記幅方向の中央部に設けられ、前記強化型クリップとは異なるクリップの樹脂製の基台が前記背面に対して略平行に嵌合されるクリップ装着部と、その両側面に形成され、下端から所定の長さを有し、上端をストッパーとする一対のガイド溝を備え、
前記強化型クリップは、前記二次電池パックの前記背面に固定される金属製の基台と、前記基台に回転自在に軸支された金属製のフックと、前記フックの先端を前記二次電池パックの背面側に押しつけるように前記フックを付勢するばねを備え、
前記固定構造は、
前記二次電池パックの前記背面に対して略平行に前記クリップ装着部に嵌合され、金属製の１つのナットがインサートモールドされた樹脂製のクリップ装着用ベース部材と、
前記強化型クリップの前記基台の下端近傍から前記幅方向に外向きに突出すると共に、前記背面に垂直な断面において湾曲し、前記二次電池パックの側面の前記一対のガイド溝に係合される一対の係合爪部と、
前記一対の係合爪部が前記一対のガイド溝に係合され、前記一対のガイド溝の上端の前記ストッパーに当接した状態で、前記基台のうち、前記二次電池パックの前記クリップ装着部に嵌合された前記クリップ装着用ベース部材に対向する位置に設けられ、前記ナットに対向する位置に形成された貫通孔を有する被固定部と、
前記貫通孔に嵌装され、前記ナットに対して締め付けられるねじと、
で構成されていることを特徴とする携帯型電子機器の強化型クリップの固定構造。
【請求項２】
前記クリップ装着部は、前記二次電池パックの前記背面の側に開放された２つのガイドレールと、前記２つのガイドレールの間に形成された断面が台形状の係合凸部とを備え、
前記クリップ装着用ベース部材は、前記２つのガイドレールにそれぞれ嵌合され、その幅方向の両側部に突出した一対のフランジと、前記係合凸部に係合される断面が台形状の係合凹部を備え、前記ナットは前記係合凹部の天井部に設けられていることを特徴とする請求項１に記載の携帯型電子機器の強化型クリップの固定構造。
【請求項３】
前記基台の被固定部は、前記貫通孔の近傍に形成された略矩形の係止孔をさらに有し、前記クリップ装着用ベース部材は、前記ナットの近傍に形成され、前記係止孔に嵌合される係止爪をさらに有することを特徴とする請求項１又は請求項２に記載の携帯型電子機器の強化型クリップの固定構造。
【請求項４】
前記強化型クリップの前記フックのうち、前記基台の前記被固定部に対向する位置には、前記ねじの頭部の直径よりも大きな直径を有するねじ締め用の貫通孔が設けられていることを特徴とする請求項１乃至請求項３のいずれか一項に記載の携帯型電子機器の強化型クリップの固定構造。
【発明の詳細な説明】
【技術分野】
【０００１】
本発明は、携帯型の無線通信装置などの携帯型電子機器に装着されるクリップ、特に、警察、消防、山岳救助などに適した携帯型電子機器用の強化型クリップの固定構造に関する。
【背景技術】
【０００２】
携帯型の無線通信装置などの携帯型電子機器は、ベルトや襟などに装着して使用されることがあるため、オプションとしてクリップが用意されている。無線通信装置の前面には、表示パネル、操作ボタン、スピーカ及びマイクロホンなどが配置されているため、通常、このクリップはポリカーボネイトなどの樹脂で形成され、無線通信装置の背面側に装着される。また、携帯型の無線通信装置では、装置の小型化、電池の長寿命化、及びランニングコストの削減を図るため、着脱可能な専用の二次電池パックの使用が推奨されている。そのため、クリップは、無線通信装置本体ではなく、着脱式の電池パック側に取り付けられている。
【０００３】
また、携帯型の無線通信装置は、警察、消防、救助などの分野でも広く利用されているが、このような人命にかかわる状況では、無線通信装置の落下は絶対にあってはならないとされ、特別に頑丈で、一度装着すると簡単には外れない強力なばねを備えたクリップが提案されている。図６は、特許文献１に記載された従来の携帯型電子機器用の強化型クリップの構造を示す。図６において、携帯型電子機器１００は、携帯型電子機器本体１１０と、携帯型電子機器本体１１０の背面側に装着された二次電池パック１２０で構成され、強化型クリップ１３０は二次電池パック１２０の背面１２０Ｂにねじ１４０で固定される。強化型クリップ１３０は、二次電池パック１２０の背面１２０Ｂに固定される基台１３１と、基台１３１に回転自在に軸支されたフック１３２と、フック１３２の先端１３２Ａを二次電池パック１２０の背面１２０Ｂ側に押しつけるようにフック１３２を付勢するばね１３３などで構成されている。基台１３１及びフック１３２は、例えばステンレス鋼などの金属板で形成されており、ばね１３３もステンレス鋼などのばね用金属線で形成されており、衝撃が加えられたとしても変形又は破損しないように十分な強度を有している。また、ばね１３３も、衝撃が加えられたとしてもフック１３２の先端１３２Ａが開かないように、十分な締め付け力を発揮するように形成されている。基台１３１の幅方向（Ｙ方向）の両端部で、長手方向（Ｘ方向）の中程、やや上端よりには、ねじ１４０が貫通する２つの貫通孔１３１Ａが形成されている。また、基台１３１の幅方向の中央部で、下端には、二次電池パック１２０に係合される鈎状の係合フック１３１Ｂが形成されている。
【０００４】
携帯型電子機器本体１１０及び二次電池パック１２０は、例えばポリカーボネイトなどの樹脂で形成されており、衝撃に耐えられるように十分な強度を有している。二次電池パック１２０の背面１２０Ｂで、二次電池パック１２０の背面１２０Ｂの上端１２０Ａ側には、ねじ１４０が締め付けられるナット１２１がインサート成形によって埋め込まれている。また、二次電池パック１２０の下端で、幅方向の中央部には、基台１３１の係合フック１３１Ｂと係合される係合凹部１２２が形成されている。強化型クリップ１３０の二次電池パック１２０への固定は、基台１３１の係合フック１３１Ｂを二次電池パック１２０の係合凹部１２２に係合させ、ねじ１４０を貫通孔１３１Ａに貫通させて、ナット１２１にしっかりと締め付けることによって行う。
【０００５】
通常、強化型クリップ１３０は二次電池パック１２０に固定されると、二次電池パック１２０の二次電池が劣化して二次電池パック１２０を交換する必要があるまで取り外されることはなく、二次電池パック１２０は強化型クリップ１３０を固定したまま充電される。そのため、図示しない充電器には、強化型クリップ１３０の形状に合わせた逃げが形成されており、二次電池パック１２０の充電端子１２３も強化型クリップ１３０の基台１３１との干渉を避ける位置に設けられている。
【先行技術文献】
【特許文献】
【０００６】
【特許文献１】特許第４１７８０９３号公報
【発明の概要】
【発明が解決しようとする課題】
【０００７】
二次電池パック及びその充電器に関しては、二次電池の＋端子及び−端子に直接接続された端子の他に、二次電子の端子間電圧を測定したり、二次電池パックに内蔵されているメモリに充電回数など様々な情報を書き込んだり、読み出したりするための端子が設けられており、二次電池パックの機能が向上するにつれて充電端子の数が増加する傾向にある。また、コネクタなどを用いることなく、二次電池パックを充電器の上に載置した状態で充電する場合、充電端子は二次電池パックの下端近傍に一列に配列させることが望ましい。そうすると、上記のように強化型クリップ１３０の基台１３１が金属板で形成されているため、基台１３１による充電端子間の短絡を防止するためには、基台１３１の係合フック１３１Ｂの位置を変更する必要が生じ、新たな携帯型電子機器用の強化型クリップの固定構造が必要となる。
【０００８】
また、上記従来の二次電池パック１２０及び強化型クリップ１３０の固定構造では、二次電池パック１２０の背面１２０Ｂの上端１２０Ａ側に２つのナット１２１がインサート成形によって埋め込まれているが、ナット１２１は、ステンレス鋼や真鍮などの金属製であって、その外周部には、インサート成形時に樹脂が流れ込むように、多数のローレット溝が形成されている。このナット１２１は、部品単価としては比較的高価であり、インサート成形用の金型の価格と共に、二次電池パック１２０のコストの低減を妨げる原因となっている。さらに、ねじ１４０をナット１２１に締め付ける際に樹脂の割れを防止するためにある程度の樹脂の肉厚を確保しなければならないため、ナット１２１のインサート位置が制限され、二次電池パック１２０の設計の自由度を低下させる原因となっている。
【０００９】
本発明は、上記問題点を解決するためになされたものであり、背面の下端近傍に複数の充電端子が配列された二次電池パックに強化型クリップを固定する新たな携帯型電子機器用の強化型クリップの固定構造を提供することを目的とする。
【課題を解決するための手段】
【００１０】
上記目的を達成するために、本発明は、携帯型電子機器本体と、前記携帯型電子機器本体に装着される二次電池パックと、前記二次電池パックの背面に装着される強化型クリップを備えた携帯型電子機器の強化型クリップの固定構造であって、
前記二次電池パックは、その背面の下端近傍に幅方向に配列された複数の充電端子と、前記背面の上端近傍で、前記幅方向の中央部に設けられ、前記強化型クリップとは異なるクリップの樹脂製の基台が前記背面に対して略平行に嵌合されるクリップ装着部と、その両側面に形成され、下端から所定の長さを有し、上端をストッパーとする一対のガイド溝を備え、
前記強化型クリップは、前記二次電池パックの前記背面に固定される金属製の基台と、前記基台に回転自在に軸支された金属製のフックと、前記フックの先端を前記二次電池パックの背面側に押しつけるように前記フックを付勢するばねを備え、
前記固定構造は、
前記二次電池パックの前記背面に対して略平行に前記クリップ装着部に嵌合され、金属製の１つのナットがインサートモールドされた樹脂製のクリップ装着用ベース部材と、
前記強化型クリップの前記基台の下端近傍から前記幅方向に外向きに突出すると共に、前記背面に垂直な断面において湾曲し、前記二次電池パックの側面の前記一対のガイド溝に係合される一対の係合爪部と、
前記一対の係合爪部が前記一対のガイド溝に係合され、前記一対のガイド溝の上端の前記ストッパーに当接した状態で、前記基台のうち、前記二次電池パックの前記クリップ装着部に嵌合された前記クリップ装着用ベース部材に対向する位置に設けられ、前記ナットに対向する位置に形成された貫通孔を有する被固定部と、
前記貫通孔に嵌装され、前記ナットに対して締め付けられるねじと、
で構成されていることを特徴とする。
【００１１】
前記クリップ装着部は、前記二次電池パックの前記背面の側に開放された２つのガイドレールと、前記２つのガイドレールの間に形成された断面が台形状の係合凸部とを備え、
前記クリップ装着用ベース部材は、前記２つのガイドレールにそれぞれ嵌合され、その幅方向の両側部に突出した一対のフランジと、前記係合凸部に係合される断面が台形状の係合凹部を備え、前記ナットは前記係合凹部の天井部に設けられているように構成してもよい。
【００１２】
前記基台の被固定部は、前記貫通孔の近傍に形成された略矩形の係止孔をさらに有し、前記クリップ装着用ベース部材は、前記ナットの近傍に形成され、前記係止孔に嵌合される係止爪をさらに有するように構成してもよい。
【００１３】
前記強化型クリップの前記フックのうち、前記基台の前記被固定部に対向する位置には、前記ねじの頭部の直径よりも大きな直径を有するねじ締め用の貫通孔が設けられているよう構成してもよい。
【発明の効果】
【００１４】
上記構成によれば、強化型クリップの基台は、二次電池パックの側面に形成されたガイド溝に係合された一対の係合爪部と、クリップ装着用ベース部材のナットとねじによって締め付けられる被固定部の３点で二次電池パックの背面に固定され、強化型クリップの基台は二次電池パックの背面の下端部近傍に配列された充電端子とは対向していない。そのため、金属製の基台によって二次電池パックの充電端子が短絡されることはない。また、二次電池パックには部品単価の高い金属性のナットがインサートモールドされていないので、二次電池パックのコストを低減することができる。また、クリップ装着用ベース部材もナットを１つしか使用しておらず、強化型クリップを二次電池パック背面に固定するためのねじも１本しか使用しないので、別売される強化型クリップのコスト上昇を最小限に抑制することができる。さらに、クリップ装着用ベース部材のみが破損した場合は、破損したクリップ装着用ベース部材のみを交換すればよく、修理コストを低減することができる。
【図面の簡単な説明】
【００１５】
【図１】二次電池パックに樹脂製の標準クリップを装着する構造を示す斜視図。
【図２】電池パックとクリップの固定構造を示す断面図。
【図３】携帯型電子機器本体に二次電池パックを装着し、さらに二次電池パックの背面に強化型クリップを装着した状態を示す断面図。
【図４】二次電池パックに強化型クリップを装着する手順を示す斜視図。
【図５】二次電池パックに強化型クリップを装着した状態を示し、（ａ）は正面図、（ｂ）は側面図。
【図６】従来の携帯型電子機器用の強化型クリップの固定構造を示す斜視図。
【発明を実施するための形態】
【００１６】
本発明の一実施形態に係る携帯型電子機器の強化型クリップの固定構造について、携帯型の無線通信装置を例にして説明する。はじめに、携帯型の無線通信装置１に対して二次電池パック２０を使用する場合について説明する。図１は二次電池パックに標準クリップを装着する構造を、図２は電池パックとクリップの固定構造を、図３は携帯型電子機器本体に二次電池パックを装着したときの構造を、それぞれ示す。
【００１７】
図１に示すように、二次電池パック２０の上端２０Ａからは、二次電池パック２０が携帯型電子機器本体１０に装着された状態で、携帯型電子機器本体１０に設けられた係止溝に嵌合され、係止される２つのロック爪２１が、二次電池パック２０の内部に設けられたばね（図示せず）によって二次電池パック２０の長手方向（Ｘ方向）に突出するように設けられている。また、二次電池パック２０の背面２０Ｂの上端２０Ａの近傍には、ロック爪２１に対応して２つの指ガイド部２３が形成されており、この指ガイド部２３には、ロック爪２１と一体的に形成され、二次電池パック２０を携帯型電子機器本体１０から取り外す際にロック爪２１を後退させるためのロック爪操作部２２が露出している。さらに、二次電池パック２０の背面２０Ｂには、充電の際に使用される複数の充電端子２４と、標準クリップ３０を二次電池パック２０に取り付けるためのクリップ装着部２５が設けられている。標準クリップ３０は、無線通信装置１を使用者のベルトや襟に装着する際に使用されるものであり、通常の使用に際しては十分な強度と締め付け力を発揮しつつ、軽量化を図るため、後述するばね３３を除いて、基台３１及びフック３２などは、例えばポリカーボネイトなどの樹脂で形成されている。
【００１８】
図１及び図２に示すように、標準クリップ３０は、二次電池パック２０の背面に対して略平行にクリップ装着部２５に嵌合される基台３１と、基台３１に回転可能に軸支されたフック３２と、標準クリップ３０を二次電池パック２０に取り付けた状態で、フック３２の先端３２Ａを二次電池パック２０の背面２０Ｂ側に押しつけるようにフック３２を付勢するばね３３などで構成されている。基台３１は、二次電池パック２０の幅方向（Ｙ方向）の両側に形成され、クリップ装着部２５のガイドレール２５Ａに嵌合されるフランジ３１Ａと、二次電池パック２０の背面２０Ｂに対してほぼ垂直な軸受け３１Ｂを有している。軸３４は、軸受け３１Ｂによって二次電池パック２０の背面２０Ｂに対して平行に保持されており、フック３２は軸３４の両端に嵌合保持されている。ばね３３は、ねじりコイルばねであり、その螺旋状の空洞部が軸３４に嵌装されており、２本の腕がそれぞれ基台３１とフック３２に係合され、保持されている。
【００１９】
二次電池パック２０のクリップ装着部２５は、背面２０Ｂの上端２０Ａの近傍で、且つ、上記２つの指ガイド部２３の中間部に形成されており、上端２０Ａ側に開放され、基台３１のフランジ３１Ａが嵌合される２つのガイドレール２５Ａと、２つのガイドレール２５Ａの間に形成された断面が台形状の係合凸部２５Ｂと、係合凸部２５Ｂの中央部に形成された係止溝２５Ｃを有している。これに対応して、基台３１の底面には、断面が台形状の係合凹部３１Ｃと、係止溝２５Ｃに嵌合され、係止される係止爪３１Ｄが形成されている、係止爪３１Ｄの係止溝２５Ｃとは反対側には、標準クリップ３０を二次電池パック２０から取り外す際に操作される係止解除操作部３１Ｅが形成されている。このような構造により、標準クリップ３０の基台３１を二次電池パック２０のクリップ装着部２５に装着すると、係止爪３１Ｄが係止溝２５Ｃによって係止され、係止解除操作部３１Ｅを操作しない限り、標準クリップ３０を二次電池パック２０から取り外すことはできない。
【００２０】
次に、上記二次電池パック２０に強化型クリップ４０を装着する場合について説明する。図３は、携帯型電子機器本体１０に二次電池パック２０を装着し、さらに二次電池パック２０の背面に強化型クリップ４０を固定した、携帯型電子機器の一例である携帯型の無線通信装置１の断面構成を示す。また、図４は二次電池パック２０に強化型クリップ４０を装着する手順を、図５は二次電池パック２０に強化型クリップ４０を装着した状態を示し、（ａ）は正面図、（ｂ）は側面図である。
【００２１】
図３は、強化型クリップ４０を二次電池パック２０に装着し、さらに二次電池パック２０を携帯型電子機器本体１０に装着した状態を示す。この場合、携帯型の無線通信装置１は、携帯型電子機器本体１０と、二次電池パック２０で構成される。携帯型電子機器本体１０は、例えばポリカーボネイトなどの樹脂で形成された電子機器筐体１１と、例えばアルミダイキャストなどで形成され、電子機器筐体１１のほぼ中央部に位置するシャーシ１２と、シャーシ１２のうち携帯型電子機器本体１０の前面１０Ａ側に設けられた制御回路１３と、液晶表示パネル１４などを備えている。携帯型電子機器本体１０の背面１０Ｂ側は、二次電池パック２０の装着部となっており、電子機器筐体１１の側面及び背面は二次電池パック２０の形状に合わせて切り欠かかれている。この無線通信装置１は、二次電池パック２０を標準的に使用することを前提としており、二次電池パック２０が携帯型電子機器本体１０に装着された状態で、二次電池パック２０の背面２０Ｂ及び側面２０Ｄ（図１参照）は無線通信装置１の外観の一部をなし、二次電池パック２０の背面２０Ｂは携帯型電子機器本体１０の背面１０Ｂと、二次電池パック２０の側面２０Ｄは携帯型電子機器本体１０の側面（図示せず）と、それぞれほぼ同面となるように設計されている。シャーシ１２のうち携帯型電子機器本体１０の上面１０Ｃ側近傍には、前述のロック爪２１が嵌合されるロック溝１２Ａが設けられている。
【００２２】
二次電池パック２０の内部には二次電池２が設けられており、また二次電池パック２０の前面２０Ｃ側で、且つ、上端２０Ａの近傍には、二次電池２からの電力を供給するための接続端子２７が設けられている。また、シャーシ１２のうち接続端子２７に対向する部分には、携帯型電子機器本体１０側の接続端子１５が設けられており、二次電池パック２０を携帯型電子機器本体１０に装着することによって制御回路１３や液晶表示パネル１４などに電力が供給され、無線通信装置１が使用可能となる。
【００２３】
各図からわかるように、強化型クリップ４０は、従来の強化型クリップ１３０と同様に、二次電池パック２０の背面２０Ｂに固定される基台４１と、基台４１に回転自在に軸支されたフック４２と、フック４２の先端４２Ａを二次電池パック２０の背面２０Ｂ側に押しつけるようにフック４２を付勢するばね４３などで構成されている。基台４１及びフック４２は、例えばステンレス鋼などの金属板で形成されており、ばね４３もステンレス鋼などのばね用金属線で形成されており、衝撃が加えられたとしても変形又は破損しないように十分な強度を有している。また、ばね４３も、衝撃が加えられたとしてもフック４２の先端４２Ａが開かないように、十分な締め付け力を発揮するように形成されている。
【００２４】
図６に示す従来の二次電池パック１２０とは異なり、二次電池パック２０の背面２０Ｂには、金属製のナットはインサートモールドされておらず、強化型クリップ４０を二次電池パック２０の背面に直接ねじで固定することはできない。そこで、本実施形態に係る携帯型電子機器の強化型クリップの固定構造では、二次電池パック２０の背面２０Ｂに形成されたクリップ装着部２５に嵌合されるクリップ装着用ベース部材５０を用意し、このクリップ装着用ベース部材５０にステンレス鋼や真鍮などの金属製のナット５１がインサートモールドされている。ナット５１は、クリップ装着用ベース部材５０の幅方向の中央部であって、上下方向のほぼ中央部の１箇所にだけ設けられている。クリップ装着用ベース部材５０は、クリップ装着部２５の形状に対応して、クリップ装着部２５の２つのガイドレール２５Ａにそれぞれ嵌合され、その幅方向の両側部に突出した一対のフランジ５２と、係合凸部２５Ｂに係合される断面が台形状の係合凹部５３を備え、ナット５１は係合凹部５３の天井部に設けられている。また、クリップ装着用ベース部材５０の背面側で、ナット５１の近傍には、強化型クリップ４０の基台４１に形成された矩形の係止孔４１Ｄに係止される係止爪５４が形成されている。係止爪５４のうち、二次電池パック２０の下端２０Ｅ側は傾斜面であり、上端２０Ａ側はほぼ垂直面である。
【００２５】
また、二次電池パック２０は、クリップ装着部２５の他に、その両側面２０Ｄに形成され、下端２０Ｅから所定の長さを有し、上端をストッパー２６Ａとする一対のガイド溝２６を備えている。一方、強化型クリップ４０の基台４１は、基台４１の下端４１Ａ近傍から幅方向（Ｙ方向）に外向きに突出すると共に、二次電池パック２０の背面２０Ｂに垂直な断面において略Ｃ状に湾曲し、二次電池パック２０の側面２０Ｄの一対のガイド溝２６に嵌合される一対の係合爪部４４と、一対の係合爪部４４が一対のガイド溝２６に係合され、ガイド溝２６の上端のストッパー２６Ａに当接した状態で、二次電池パック２０のクリップ装着部２５に嵌合されたクリップ装着用ベース部材５０のナット５１に対向する位置に形成された円形の貫通孔４１Ｃと、この貫通孔４１Ｃの近傍に形成された略矩形の係止孔４１Ｄを有する被固定部４１Ｂを備えている。基台４１の一対の係合爪部４４は、二次電池パック２０の側面２０Ｄの一対のガイド溝２６に係合される爪４４Ａが、二次電池パック２０の側面２０Ｄに対して略垂直（幅方向（Ｙ方向）に対して略平行）であり、湾曲部４４Ｂは、二次電池パック２０の背面２０Ｂと両側面２０Ｄのエッジ部分の形状に対応する形状に湾曲している。
【００２６】
ねじ６０は、例えばステンレス鋼などで形成され、呼び径に対して、頭部の直径の方が２倍以上あるような専用の化粧ねじである。前述のように、強化型クリップ４０に対しては、非常に大きな力や加速度が加えられる虞があるため、ねじの破損による強化型クリップ４０の脱落を予防しなければならないため、ねじ６０の頭部の接触面積を広くして、ねじ６０に加えられる力を分散することが好ましい。また、フック４２のうち、基台４１の被固定部４１Ｂに対向する位置には、ねじ６０の頭部の直径よりも大きな直径を有するねじ締め用の貫通孔４２Ｂが設けられている。
【００２７】
次に、この強化型クリップ４０を二次電池パック２０の背面２０Ｂに固定する手順について説明する。図３からわかるように、二次電池パック２０を携帯型電子機器本体１０に装着した状態では、クリップ装着用ベース部材５０を二次電池パック２０の背面２０Ｂのクリップ装着部２５に取り付けることはできないので、図４に示すように、一旦、二次電池パック２０を携帯型電子機器本体１０から取り外す。次に、クリップ装着用ベース部材５０を、二次電池パック２０の背面２０Ｂの上端近傍から、背面２０Ｂに対して略平行にクリップ装着部２５に嵌合させる。さらに、強化型クリップ４０の基台４１の係合爪部４４の爪４４Ａを、二次電池パック２０の下端２０Ｅからガイド溝２６に挿入し、ガイド溝２６に沿って摺動させる。クリップ装着用ベース部材５０の係止爪５４の下端２０Ｅ側は傾斜面であるので、基台４１の被固定部４１Ｂの前面４１Ｅがこの傾斜面に沿って摺動する。基台４１の係合爪部４４の爪４４Ａがガイド溝２６の上端のストッパー２６Ａに当接すると、係止爪５４が基台４１の係止孔４１Ｄに嵌り込むと同時に、基台４１の被固定部４１Ｂの貫通孔４１Ｃがクリップ装着用ベース部材５０のナット５１に対向しているので、フック４２の貫通孔４２Ｂから、ねじ回し（図示せず）の先端ビット部に磁石などで吸引保持されたねじ６０を挿入し、ナット５１に締め付ける。それによって、強化型クリップ４０が、ねじ６０とナット５１によって締め付けられる被固定部４１Ｂと、基台４１の一対の係合爪部４４と一対のガイド溝２６の係合による３点で、二次電池パック２０の背面２０Ｂに固定される。強化型クリップ４０に対して長手方向（Ｘ方向）上向きに引っ張り力が加えられたとしても、基台４１の係合爪部４４の爪４４Ａとガイド溝２６の上端のストッパー２６Ａが当接し、強化型クリップ４０は二次電池パック２０の背面２０Ｂから容易には外れない。また、クリップ装着用ベース部材５０の係止爪５４の上端２０Ａ側は垂直面であるので、強化型クリップ４０に対して長手方向（Ｘ方向）下向きに引っ張り力が加えられたとしても、係止爪５４の垂直面と基台４１の係止孔４１Ｄのエッジが当接し、強化型クリップ４０は二次電池パック２０の背面２０Ｂから容易には外れない。
【００２８】
このように、本発明によれば、強化型クリップ４０の基台４１は、二次電池パック２０の側面２０Ｄ面に形成されたガイド溝２６に係合された一対の係合爪部４４と、クリップ装着用ベース部材５０のナット５１とねじ６０によって締め付けられる被固定部４１Ｂの３点で二次電池パック２０の背面２０Ｂに固定され、強化型クリップ４０の基台４１は二次電池パック２０の背面２０Ｂの下端２０Ｅの近傍に配列された充電端子２４とは対向していない。そのため、金属製の基台４１によって二次電池パック２０の充電端子２４が短絡されることはない。また、二次電池パック２０には部品単価の高い金属性のナットがインサートモールドされていないので、二次電池パック２０のコストを低減することができる。また、クリップ装着用ベース部材５０もナット５１を１つしか使用しておらず、強化型クリップ４０を二次電池パック２０の背面２０Ｂに固定するためのねじ６０も１本しか使用しないので、別売される強化型クリップ４０のコスト上昇を最小限に抑制することができる。さらに、クリップ装着用ベース部材５０のみが破損した場合は、破損したクリップ装着用ベース部材５０のみを交換すればよく、修理コストを低減することができる。
【００２９】
なお、本発明に係る携帯型電子機器用の強化型クリップの固定構造は、専ら、上記のように下端２０Ｅの近傍に複数の充電端子２４が配列された二次電池パック２０用に提案されたものであるが、二次電池パック２０に換えて使用される乾電池パック（図示せず）に対しても、同様に適用できることは言うまでもない。また、携帯型電子機器は無線通信装置に限定されるものではなく、使用者の位置情報を送信する位置センサーやその他のセンサーなどであってもよい。
【符号の説明】
【００３０】
１  携帯型の無線通信装置
２  二次電池
１０  携帯型電子機器本体
１０Ａ  携帯型電子機器本体の前面
１０Ｂ  携帯型電子機器本体の背面
１１  電子機器筐体
１２  シャーシ
２０  二次電池パック
２５  クリップ装着部
２５Ａ  ガイドレール
２５Ｂ  係合凸部
３０  標準クリップ
４０  強化型クリップ
４１  基台
４１Ａ  （基台の）下端
４１Ｂ  被固定部
４１Ｃ  貫通孔
４１Ｄ  係止孔
４２  フック
４２Ａ  （フックの）先端
４３  ばね
４４  係合爪部
４４Ａ  爪
４４Ｂ  湾曲部
５０  クリップ装着用ベース部材
５１  ナット
５２  フランジ
５３  係合凹部
５４  係止爪
６０  ねじ
【図１】
2018204634.tif 000003
【図２】
2018204634.tif 000004
【図３】
2018204634.tif 000005
【図４】
2018204634.tif 000006
【図５】
2018204634.tif 000007
【図６】
2018204634.tif 000008